(57)【要約】【課題】安価に製造できる取り出し具付き容器を提供する。【解決手段】内容物Ｃが収容される有底筒状の容器本体７と、容器本体７の口部７ａに着脱可能に取り付けられた蓋部材８と、を備え、蓋部材８は、容器本体７に取り付けられたベース部１０と、破断可能な弱化部２９を介してベース部１０に一体成形される取り出し具３０と、ベース部１０に装着され取り出し具３０を開放可能に覆うキャップ部２０と、を有する、取り出し具付き容器１。【選択図】図１
2020109015.tif 000002
【特許請求の範囲】
【請求項１】
内容物が収容される有底筒状の容器本体と、
前記容器本体の口部に着脱可能に取り付けられた蓋部材と、を備え、
前記蓋部材は、
前記容器本体に取り付けられたベース部と、
破断可能な弱化部を介して前記ベース部に一体成形された取り出し具と、
前記ベース部に装着され前記取り出し具を開放可能に覆うキャップ部と、を有する、
取り出し具付き容器。
【請求項２】
前記容器本体の口部を覆うシール部材をさらに備え、
前記ベース部には、上下方向に貫通する開口が設けられ、
前記シール部材は、前記ベース部の前記開口を下側から覆い、
前記弱化部は、前記開口の内側面に連結され、
前記取り出し具は、前記開口の内部かつ前記シール部材の上側に配置される、
請求項１に記載の取り出し具付き容器。
【請求項３】
前記ベース部と前記キャップ部とは、ヒンジ部を介して一体成形される、
請求項１又は２に記載の取り出し具付き容器。
【請求項４】
前記ベース部には、上下方向に貫通する開口が設けられ、
前記開口の内側面には、前記ベース部から分離された前記取り出し具を支持する取り出し具支持部が設けられる、
請求項１〜３の何れか一項に記載の取り出し具付き容器。
【請求項５】
前記取り出し具支持部は、前記取り出し具の一端を上下から挟む込む一対の挟持片を有し、
一対の前記挟持片は、一端側から他端側に向かうに従い前記取り出し具が上側に傾いた状態で前記取り出し具を支持する、
請求項４に記載の取り出し具付き容器。
【発明の詳細な説明】
【技術分野】
【０００１】
本発明は、取り出し具付き容器に関する。
【背景技術】
【０００２】
従来、例えば下記特許文献１に示されるような取り出し具付き容器が知られている。この取り出し具付き容器は、内容物が収容される広口容器と、広口容器内の内容物を取り出すための取り出し具と、を備える。
【先行技術文献】
【特許文献】
【０００３】
【特許文献１】特開２０１３−１３３１３６号公報
【発明の概要】
【発明が解決しようとする課題】
【０００４】
従来の取り出し具付き容器は、取り出し具を成形した後に所定の場所に収容する必要があり、製造コストの点で改善の余地があった。
【０００５】
本発明は、このような事情に鑑みてなされたものであって、安価に製造できる取り出し具付き容器を提供することを目的としている。
【課題を解決するための手段】
【０００６】
本発明の一態様に係る取り出し具付き容器は、内容物が収容される有底筒状の容器本体と、前記容器本体の口部に着脱可能に取り付けられた蓋部材と、を備え、前記蓋部材は、前記容器本体に取り付けられたベース部と、破断可能な弱化部を介して前記ベース部に一体成形された取り出し具と、前記ベース部に装着され前記取り出し具を開放可能に覆うキャップ部と、を有する。
【０００７】
上述の構成によれば、蓋部材のベース部と取り出し具とが一体的に成形されている。すなわち、取り出し具を蓋部材の一部として製造することができ、成形品の数を減らし容器の製造コストを低減できる。
上述の構成によれば、蓋部材のキャップ部が、取り出し具を覆う。このため、キャップ部の下側に、取り出し具を収容する空間を設けることができる。キャップ部の下側の空間にベース部から分離させた取り出し具を収容させることで、取り出し具を清潔に保つとともに取り出し具の紛失を抑制することができる。
なお、上述の取り出し具付き容器は、流通時点で弱化部が破断されていても、されていなくてもよい。上述の構成によれば、キャップ部がベース部と取り出し具とを連結する弱化部を保護するため、例えば弱化部が破断されずに流通される場合、流通過程において弱化部が破断することを抑制できる。
【０００８】
上述の取り出し具付き容器において、前記容器本体の口部を覆うシール部材をさらに備え、前記ベース部には、上下方向に貫通する開口が設けられ、前記シール部材は、前記ベース部の前記開口を下側から覆い、前記弱化部は、前記開口の内側面に連結され、前記取り出し具は、前記開口の内部かつ前記シール部材の上側に配置される、構成としてもよい。
【０００９】
上述の構成によれば、取り出し具が、弱化部を介して、ベース部の開口の内側の中空部分に配置される。このため、取り出し具に力を付与することで、弱化部を容易に破断させることができる。なお、弱化部を破断させる作業は、例えば、蓋部材にシール部材を組付ける工程内に行うことができる。また、弱化部を破断させる工程は、使用者（エンドユーザ）が行ってもよい。
上述の構成によれば、ベース部の開口の下側をシール部材が覆う。このため、シール部材を、取り出し具の収容空間の底面として用いることができる。
【００１０】
上述の取り出し具付き容器において、前記ベース部と前記キャップ部とは、ヒンジ部を介して一体成形される、構成としてもよい。
【００１１】
上述の構成によれば、ベース部とキャップ部とが一体成形される。すなわち、蓋部材を単一の部材として成形することができる。このため、取り出し具付き容器の部品点数を削減することができ、取り出し具付き容器を安価に製造できる。
【００１２】
上述の取り出し具付き容器において、前記ベース部には、上下方向に貫通する開口が設けられ、前記開口の内側面には、前記ベース部から分離された前記取り出し具を支持する取り出し具支持部が設けられる、構成としてもよい。
【００１３】
上述の構成によれば、ベース部の開口の内側面に取り出し具支持部が設けられる。このため、保管時に取り出し具を容器内に収納することができ、取り出し具の取り扱いが容易となる。
【００１４】
上述の取り出し具付き容器において、前記取り出し具支持部は、前記取り出し具の一端を上下から挟む込む一対の挟持片を有し、一対の前記挟持片は、一端側から他端側に向かうに従い前記取り出し具が上側に傾いた状態で前記取り出し具を支持する、構成としてもよい。
【００１５】
上述の構成によれば、キャップ部を開放しベース部の開口を露出させた状態で取り出し具の他端側が、上側に傾斜して延びる。このため、使用者は、内容物で手を汚すことなく取り出し具の他端側を把持しやすい。また、キャップ部を閉じた状態で、キャップ部の天板部に取り出し具の他端側が接触し付勢されていてもよい。この場合、取り出し具を蓋部材に対して安定して支持させることができる。
【発明の効果】
【００１６】
本発明の取り出し具付き容器によれば、安価に製造できる取り出し具付き容器を提供できる。
【図面の簡単な説明】
【００１７】
【図１】図１は、第１実施形態の取り出し具付き容器の断面図である。
【図２】図２は、キャップ部を開状態とした第１実施形態の容器の平面図である。
【図３】図３は、第１実施形態の蓋部材の断面図であり、取り出し具をベース部から分離させる工程を示す図である。
【図４】図４は、第２実施形態の蓋部材の平面図である。
【図５Ａ】図５Ａは、第２実施形態の蓋部材の平面図であり、ベース部から取り出し具を分離させる工程を説明する図である。
【図５Ｂ】図５Ｂは、第２実施形態の蓋部材の平面図であり、蓋部材にシール部材を組み付ける工程を説明する図である。
【図６】図６は、キャップ部を開状態とした第２実施形態の容器の平面図である。
【図７】図７は、キャップ部を閉状態とした第２実施形態の容器の断面図である。
【発明を実施するための形態】
【００１８】
以下、本発明の実施形態に係る取り出し具付き容器１について、図面を参照して説明する。
【００１９】
（第１実施形態）
図１は、第１実施形態の取り出し具付き容器１の断面図である。
第１実施形態の取り出し具付き容器（以下単に容器）１は、例えばクリーム状又は半固形状の食品、化粧品等の内容物Ｃを収容する。容器１は、有底筒状の容器本体７と、容器本体７の口部７ａを覆うシール部材９と、容器本体７の口部７ａに着脱可能に取り付けられた蓋部材８と、を備える。
【００２０】
容器本体７および蓋部材８は、それぞれの中心軸線が共通軸上に位置した状態で配設される筒状である。本実施形態では、容器本体７と蓋部材８との共通軸を容器軸Ｏという。また、容器軸Ｏ方向（上下方向）に沿って容器本体７から蓋部材８へ向かう方向を上方といい、蓋部材８から容器本体７へ向かう方向を下方という。さらに、上下方向から見た平面視で容器軸Ｏを中心する半径方向を単に径方向という。
なお、本明細書における上下方向は、単に説明のために用いられる方向であって、容器１の使用時および流通時の姿勢を限定するものではない。
【００２１】
容器本体７は、上側に開口する口部７ａを有する有底の筒状である。容器本体７には、内容物Ｃが収容される。容器本体７の外周面の上端部には、雄ねじ部７ｂが形成されている。蓋部材８は、容器本体７の上側の口部７ａに取り付けられる。より具体的には、蓋部材８には、雄ねじ部７ｂに螺着する雌ねじ部１１ａが形成されており、容器本体７に着脱自在に装着される。これにより、蓋部材８は、容器本体７の口部７ａを上側から塞ぐ。使用者は、内容物Ｃを取り出すとき、容器本体７から蓋部材８を取り外して容器本体７の口部７ａを開放する。
【００２２】
シール部材９は、上下方向からみて円形のシート状である。シール部材９は、例えば、シリコンゴムなどの可撓性の材料からなる。また、シール部材９は、発泡ポリエチレンのハイシート（登録商標）パッキンであってもよい。シール部材９は、容器本体７の口部７ａを覆う。シール部材９は、容器本体７の口部７ａの上端縁と接触する。シール部材９は、蓋部材８の内周面に形成されたアンダーカット溝部に嵌合されることで蓋部材８に保持される。なお、シール部材は、接着等の他の手段により蓋部材８に固定されていてもよい。シール部材９は、容器本体７と蓋部材８との間に挟み込まれる。シール部材９は、容器本体７と蓋部材８との間に挟み込まれることで、容器本体７と蓋部材８との隙間をシールし、内容物Ｃが容器１から漏れ出すことを抑制する。
【００２３】
蓋部材８は、ベース部１０と、キャップ部２０と、取り出し具３０と、を有する。ベース部１０、キャップ部２０および取り出し具３０は、一体的に成形されており、互いに連結されている。
【００２４】
ベース部１０は、容器軸Ｏを中心とする筒状部１１と、筒状部１１の上端部から径方向内側に延びる内フランジ部１２と、を有する。
【００２５】
筒状部１１の内周面には、容器本体７の雄ねじ部７ｂに螺着される雌ねじ部１１ａが形成されている。これにより、ベース部１０は、容器本体７に取り付けられる。また、筒状部１１の外周面の上部には、キャップ部２０が取り付けられる嵌着面１１ｂが設けられる。
【００２６】
内フランジ部１２は、容器軸Ｏに直交する平面に沿う板状である。内フランジ部１２の下面には、シール部材９が接触する。内フランジ部１２の下面は、容器本体７の口部７ａの上端縁とともに、シール部材９を挟み込む。
【００２７】
内フランジ部１２の径方向内側には、開口１９が設けられる。すなわち、ベース部１０には、上下方向に貫通する開口１９が設けられる。開口１９は、上下方向から見て、容器軸Ｏを中心とする円形である。開口１９の内側には、取り出し具３０が配置される。開口１９の上部はキャップ部２０に覆われ、開口１９の下部はシール部材９に覆われる。すなわち、開口１９の内部には、キャップ部２０とシール部材９とに挟まれた空間が設けられる。開口１９の内部の空間は、取り出し具３０の収容に利用される。
【００２８】
キャップ部２０は、ヒンジ部２１を介してベース部１０と一体成形される。このため、本実施形態によれば、蓋部材８を単一の部材として成形することができ、容器１の部品点数を削減して容器１を安価に製造できる。
【００２９】
キャップ部２０は、ヒンジ部２１の回転軸を中心として開閉する。キャップ部２０は、閉状態において、ベース部１０の嵌着面１１ｂに装着され、ベース部１０の開口１９を閉塞する。また、キャップ部２０は、開状態においてベース部１０の開口１９を開放させる。使用者は、キャップ部２０を開状態とすることで、開口１９の内側に配置される取り出し具３０が使用可能となる。
【００３０】
キャップ部２０は、板状の天板部２２と、天板部２２の外周縁から筒状に延びる嵌合筒２３と、ツマミ部（操作部）２４と、を有する。嵌合筒２３の内周面は、ベース部１０の嵌着面１１ｂに嵌合する。嵌合筒２３の内周面が嵌着面１１ｂに嵌合することで、キャップ部２０が閉状態となる。また、嵌合筒２３の外周面には、ヒンジ部２１とツマミ部２４とが連結されている。ツマミ部２４は、嵌合筒２３の外周面から径方向外側に突出する。ツマミ部２４は、嵌合筒２３の中心軸に対し、ヒンジ部２１の反対側に位置する。使用者は、ツマミ部２４を把持して操作することでキャップ部２０を開閉する。
【００３１】
図２は、キャップ部２０を開状態とした容器１の平面図である。
図２に示すように、取り出し具３０は、スプーン形状又はへら形状をなしたスパチュラである。取り出し具３０は、使用者が容器本体７内の内容物Ｃを取り出すために容器１に備えられる。
【００３２】
本実施形態において、取り出し具３０は、容器軸Ｏと直交する平面に沿う板状である。また、取り出し具３０は、一方向に沿って延びる長手形状を有する。取り出し具３０は、長手方向の一端側に位置する保持部３１と、保持部３１より幅が狭く保持部３１から他端側に延びる柄部３２と、を有する。使用者は、柄部３２を把持して保持部３１を容器本体７の内部に挿入し内容物Ｃを保持部３１に保持させることで内容物Ｃを容器本体７から取り出す。保持部３１には、厚さ方向に凹む略楕円形状の凹部３１ａが設けられる。保持部３１に凹部３１ａが設けられることで、内容物Ｃを保持部３１に保持させやすくなる。また、柄部３２には、取り出し具３０の長手方向に対して直交する３本の凹溝３２ａが設けられる。凹溝３２ａは、使用者が柄部３２を把持する際の滑り止めとして機能する。図１に示すように、本実施形態の取り出し具３０には、表裏両面に凹部３１ａおよび凹溝３２ａがそれぞれ設けられる。
【００３３】
図２に示すように、取り出し具３０は、ベース部１０の開口１９の内部かつシール部材９の上側に配置される。取り出し具３０は、開口１９の内側面から径方向内側に突出する一対の弱化部２９を介してベース部１０に連結される。
【００３４】
一対の弱化部２９は、それぞれ、開口１９の内側面および取り出し具の長さ方向の端部に連結される。弱化部２９は、取り出し具３０の各部と比較して十分に細い。このため、弱化部２９は、負荷を加えることで容易に破断可能である。
【００３５】
図３は、蓋部材８の断面図であり、弱化部２９を破断させてベース部１０から取り出し具３０を分離させる工程を説明する図である。
弱化部２９を破断させる工程では、作業者は、蓋部材８を表裏反転して配置し、蓋部材８を保持する。さらに、作業者は、取り出し具３０に対し、キャップ部２０側に向かう力Ｆを付与する。これにより、ベース部１０と取り出し具３０とを連結させる弱化部２９にせん断応力が加わり、弱化部２９が破断し、取り出し具３０がベース部１０から分離する。
【００３６】
弱化部２９を破断させる工程は、例えば、蓋部材８にシール部材９および容器本体７を組み付ける際に行うことができる。この場合、上述の手順で弱化部２９を破断させた後に、ベース部１０の筒状部１１の内側にシール部材９を配置する。さらに、筒状部１１の雌ねじ部１１ａに容器本体７の雄ねじ部７ｂを螺着することで、容器１の組み立て工程が完了する。
容器１の組み立て工程において弱化部２９を破断させる場合、弱化部２９の確実な破断が可能となるのみならず、使用者が弱化部２９を破断する必要がなく使用者の負担を軽減できる。
【００３７】
なお、本実施形態では、容器１の組み立て工程において、弱化部２９を破断させる場合について説明した。この場合、使用者（エンドユーザ）が容器１を手にする際に、取り出し具３０は、ベース部１０から分離されている。しかしながら、使用者が取り出し具３０の使用前に弱化部２９を破断させてもよい。すなわち、取り出し具３０が弱化部２９を介してベース部１０に一体成形されていれば、弱化部２９の破断工程は、製造者が行っても使用者（エンドユーザ）が行ってもよい。この場合、容器１は、取り出し具３０がベース部１０に連結した状態で流通される。
使用者が弱化部２９を破断する場合、製造工程での破断工程を削減することができるため、製造コストのさらなる低減が可能となる。
【００３８】
本実施形態によれば、蓋部材８のベース部１０と取り出し具３０とが一体的に成形される。このため、取り出し具３０を蓋部材８の一部として製造することができ、成形品の数を減らし容器１の製造コストを低減できる。
【００３９】
本実施形態によれば、蓋部材８のキャップ部２０が、取り出し具３０を開放可能に覆う。したがって、取り出し具３０と蓋部材８とが弱化部２９を介して互いに連結された状態で、容器１を流通される場合、キャップ部２０が弱化部２９を保護し、流通過程において弱化部２９が破断することを抑制できる。
【００４０】
また、本実施形態によれば、蓋部材８のキャップ部２０がベース部１０の開口１９を上側から覆い、シール部材９が、ベース部１０の開口１９を下側から覆う。これにより、開口１９の内側にキャップ部２０およびシール部材９に上下から囲まれた空間を設けることができる。この空間は、キャップ部２０を開閉することで、容易に開放することができる。このため、この空間を取り出し具３０の収容に利用することができる。この場合、使用後の取り出し具３０の清潔性を保つとともに取り出し具３０の紛失を抑制することができる。
【００４１】
（第２実施形態）
次に第２実施形態の容器（取り出し具付き容器）１０１について、図面を基に説明する。本実施形態の容器１０１は、第１実施形態の容器１と比較して、蓋部材１０８の構成が、主に異なる。より具体的には、本実施形態の容器１０１は、ベース部１１０の開口１１９の内側面に取り出し具支持部１０５を有する点が、第１実施形態と異なる。
なお、上述の実施形態と同一態様の構成要素については、同一符号を付し、その説明を省略する。
【００４２】
図４は、本実施形態の蓋部材１０８の平面図である。図４において、蓋部材１０８は、キャップ部２０が開状態とされている。本実施形態の蓋部材１０８は、第１実施形態と同様の容器本体７の口部７ａに着脱可能に取り付けられる。
【００４３】
第１実施形態と同様に、蓋部材１０８は、ベース部１１０と、キャップ部２０と、取り出し具３０と、を有する。ベース部１１０、キャップ部２０および取り出し具３０は、一体的に成形されており、互いに連結されている。後段において説明するように、ベース部１１０は、取り出し具３０を支持する取り出し具支持部１０５を有する。
【００４４】
ベース部１１０は、容器軸Ｏを中心とする筒状部１１と、筒状部１１の上端部から径方向内側に延びる内フランジ部１２と、取り出し具支持部（以下単に支持部）１０５と、を有する。内フランジ部１２の径方向内側には、開口１１９が設けられる。すなわち、ベース部１１０には、上下方向に貫通する開口１１９が設けられる。
【００４５】
取り出し具３０は、開口１１９の内側面から径方向内側に突出する一対の弱化部２９を介してベース部１１０に連結される。取り出し具３０は、弱化部２９に負荷を加えて破断させることで、ベース部１１０から分離させることができる。
【００４６】
図５Ａおよび図５Ｂは、蓋部材１０８の断面図である。図５Ａは、ベース部１１０から取り出し具３０を分離させる工程を説明する図である。また、図５Ｂは、蓋部材１０８にシール部材９を組み付ける工程を説明する図である。
【００４７】
図５Ａに示すように、弱化部２９を破断させる工程では、作業者は、蓋部材１０８を表裏反転して配置し、取り出し具３０に対し、キャップ部２０側に向かう力Ｆを付与することで、弱化部２９を破断し、取り出し具３０をベース部１１０から分離させる。
【００４８】
次いで、図５Ｂに示すように、蓋部材１０８にシール部材９を組み付ける。より具体的には、ベース部１１０の筒状部１１の内側にシール部材９を配置する。さらに、筒状部１１の雌ねじ部１１ａに容器本体７の雄ねじ部７ｂを螺着することで、容器１０１の組み立て工程が完了する。この状態で、ベース部１１０から分離した取り出し具３０は、シール部材９とキャップ部２０とに上下から挟まれた空間内に収容される。容器１０１は、この状態で、流通される。このため、使用者が弱化部２９を破断する必要がなく使用者の負担を軽減できる。
【００４９】
使用者は、商品購入後最初の使用時に、蓋部材１０８を容器本体７から取り外し、シール部材９を除去して取り出し具３０を取り出した後に、再び、蓋部材１０８を容器本体７に取り付ける。除去したシール部材９は、廃棄することができる。これにより、容器１０１内の内容物Ｃの使用の準備が完了する。使用者は、蓋部材１０８のキャップ部２０を開放して、開口１１９から取り出し具３０を容器本体７の内部に挿入することで内容物Ｃを取り出す。使用者は、内容物Ｃを一定量取り出した後、取り出し具３０を支持部１０５に支持させ、さらにキャップ部２０を閉塞する。
なお、弱化部２９の破断は、商品購入後最初の使用時に使用者が行ってもよい。
【００５０】
取り出し具３０を支持する支持部１０５の構成について、説明する。
支持部１０５は、ベース部１１０から分離された取り出し具３０を支持する。支持部１０５は、開口１１９の内側面に設けられる。より具体的には、支持部１０５は、開口１１９の内側面から径方向内側に突出する。
【００５１】
図６は、キャップ部２０を開状態とした容器１０１の平面図である。また、図７は、キャップ部２０を閉状態とした容器１０１の断面図である。図６および図７において、取り出し具３０は、支持部１０５に支持されている。
【００５２】
支持部１０５は、開口１１９の内側面から径方向内側に突出する一対の挟持片１０５ａ、１０５ｂを有する。一対の挟持片１０５ａ、１０５ｂは、上下方向に並ぶ。一対の挟持片１０５ａ、１０５ｂのうち、上側に位置する一方を上側挟持片１０５ａとし、下側に位置する他方を下側挟持片１０５ｂとする。上側挟持片１０５ａおよび下側挟持片１０５ｂは、上下方向を板厚方向とする板状である。上側挟持片１０５ａと下側挟持片１０５ｂとの上下方向の隙間寸法は、取り出し具３０の上下方向の厚さ寸法より小さい。上側挟持片１０５ａおよび下側挟持片１０５ｂは、取り出し具３０の一端を上下から挟む込むことで、取り出し具３０を支持する。
【００５３】
本実施形態において、一対の挟持片１０５ａ、１０５ｂは、開口１１９の内側面に連結される基端側から突出方向の先端側に向かうに従い上側に傾斜する。このため、一対の挟持片１０５ａ、１０５ｂで挟み込まれた取り出し具３０は、一対の挟持片１０５ａ、１０５ｂで支持される一端側から他端側に向かうに従い上側に傾いた状態となる。
【００５４】
図６に示すように、上側挟持片１０５ａは、上下方向から見て、略矩形状である。上側挟持片１０５ａは、矩形状の一辺において開口１１９の内側面に連結される。下側挟持片１０５ｂは、上下方向から見て、上側挟持片１０５ａを外側から囲むＵ字状である。したがって、上下方向から見て、上側挟持片１０５ａおよび下側挟持片１０５ｂは、互いに重ならない。下側挟持片１０５ｂは、Ｕ字状の一対の先端において開口１１９の内側面に連結される。
【００５５】
一対の挟持片１０５ａ、１０５ｂの間に取り出し具３０を挟み込むと、取り出し具３０に対して一対の挟持片１０５ａ、１０５ｂが上下に若干広がる。上述したように、一対の挟持片１０５ａ、１０５ｂで挟み込まれた取り出し具３０は、一対の挟持片１０５ａ、１０５ｂで支持される一端側から他端側に向かうに従い上側に傾いた状態となる。このため、キャップ部２０を閉塞すると、取り出し具３０の他端は、キャップ部２０の天板部２２に押し付けられる。この状態で、取り出し具３０を下側から支える下側挟持片は、下側に撓む。また、キャップ部２０を開放すると、取り出し具３０の他端側が上側に上昇し、取り出し具３０の他端が開口１１９より上側に突出した状態となる。
【００５６】
本実施形態によれば、ベース部１１０の開口１１９の内側面には、支持部１０５を有する。このため、保管時に取り出し具３０を容器１０１内に収納することができ、取り出し具の取り扱いが容易となる。また、保管時に取り出し具３０が汚れることを抑制することができる。
【００５７】
本実施形態によれば、保管状態で支持部１０５が取り出し具３０を容器１０１内で中空支持する。このため、本実施形態の容器１０１は、保管状態で、取り出し具３０を搭載するシール部材９を必要としない。
第１実施形態の容器１では、保管状態において、取り出し具３０を搭載するためにシール部材９が必要となる。シール部材９は、開口１９を塞ぐ。したがって、第１実施形態の容器１では、内容物Ｃを露出させるために、蓋部材８を口部７ａから離脱させる必要があった。
これに対し、本実施形態では、保管状態でシール部材９が不要となるため、キャップ部２０を開放することで、取り出し具３０を取り出すとともに内容物Ｃを露出させることが可能となる。すなわち、本実施形態によれば、使用者の使用時の手順を簡素化することができる。
なお、ここで保管状態とは、使用者による最初の使用以降の保管時の状態を意味する。
【００５８】
本実施形態によれば、一対の挟持片１０５ａ、１０５ｂは、一端側から他端側に向かうに従い取り出し具３０が上側に傾いた状態で取り出し具３０を支持する。したがって、使用者がキャップ部２０を開放すると、取り出し具３０の他端側がベース部１１０の開口から上側に突出し、使用者が内容物Ｃで手を汚すことなく取り出し具の他端側を把持しやすくなる。また、本実施形態では、キャップ部２０を閉じた状態で、キャップ部２０の天板部２２に取り出し具３０の他端側が接触し付勢されていてもよい。この場合、取り出し具３０を蓋部材１０８に対して安定して支持させることができる。
【００５９】
以上に、本発明の様々な実施形態を説明したが、各実施形態における各構成およびそれらの組み合わせ等は一例であり、本発明の趣旨から逸脱しない範囲内で、構成の付加、省略、置換およびその他の変更が可能である。また、本発明は実施形態によって限定されることはない。
【符号の説明】
【００６０】
１、１０５  容器（取り出し具付き容器）
７  容器本体
７ａ  口部
８、１０８  蓋部材
９  シール部材
１０、１１０  ベース部
１９、１１９  開口
２０  キャップ部
２１  ヒンジ部
２９  弱化部
３０  取り出し具
１０５  取り出し具支持部（支持部）
１０５ａ  上側挟持片（挟持片）
１０５ｂ  下側挟持片（挟持片）
Ｃ    内容物
【図１】
2020109015.tif 000003
【図２】
2020109015.tif 000004
【図３】
2020109015.tif 000005
【図４】
2020109015.tif 000006
【図５Ａ】
2020109015.tif 000007
【図５Ｂ】
2020109015.tif 000008
【図６】
2020109015.tif 000009
【図７】
2020109015.tif 000010